(57)【要約】    【課題】  車両の外部を撮影するカメラにより得られる映像を適切に表示し、表示された映像がどのカメラによって得られたものかを運転者が容易に視認できる運転支援装置を提供する。    【解決手段】  左ドアミラーを模したミラー枠画像ＰＭが生成され、カメラ４により撮影された車両の左後方映像を表示部２に表示する際に、カメラ４により撮影された映像の左右を反転させた反転映像ＳＶＲＲがミラー枠画像ＰＭの内部に表示されるように制御される。運転者は左ドアミラーに表示される像と同じ方向の映像であること、すなわちカメラ４により撮影された映像であることを容易に認識することができる。【選択図】  図４
2010137697.tif 000002
【特許請求の範囲】
【請求項１】
車両の外部を撮影するカメラと、該カメラにより撮影された映像を表示する表示手段とを備える、車両の運転支援装置において、
前記カメラにより撮影された映像の左右を反転させる映像反転手段と、
前記車両に設けられ、所定方向を視認可能に設けられたミラー手段を模したミラー枠画像を生成するミラー枠画像生成手段と、
前記カメラにより撮影された前記所定方向の映像を前記表示手段に表示する際に、前記映像反転手段により反転された映像が前記ミラー枠画像の内部に表示されるように前記反転された映像と前記ミラー枠画像とを合成する合成手段とを備え、
該合成された映像を前記表示手段に表示することを特徴とする車両の運転支援装置。
【請求項２】
前記ミラー枠画像の内部に表示される映像の輝度を、前記ミラー手段に表示される像の輝度とほぼ同一となるように調整する輝度調整手段をさらに備えることを特徴とする請求項１に記載の車両の運転支援装置。
【請求項３】
前記ミラー手段の背景映像を撮影する背景カメラをさらに備え、前記合成された映像を前記背景映像とともに前記表示手段に表示することを特徴とする請求項１または２に記載の車両の運転支援装置。
【請求項４】
前記ミラー手段により視認可能な範囲を示す視認可能範囲枠の画像を生成する視認可能範囲枠画像生成手段をさらに備え、前記合成手段は前記反転された映像と、前記ミラー枠画像と、前記視認可能範囲枠画像とを合成することを特徴とする請求項１から３の何れか１項に記載の車両の運転支援装置。
【発明の詳細な説明】
【技術分野】
【０００１】
本発明は、車両の運転支援装置に関し、特に車両の外部映像をカメラによって撮影し、その外部映像を車内の表示装置に表示することにより、運転支援を行うものに関する。
【背景技術】
【０００２】
特許文献１には、車両の運転者の死角となる範囲の映像を撮影するカメラを設置し、カメラによって撮影された映像とともに、車両の最外側ラインあるいはタイヤの外側ラインを車両前後方向に延長したラインを車内のモニタに表示するようにした運転支援装置が示されている。
【０００３】
【特許文献１】特開２０００−１７２９９６号公報
【発明の開示】
【発明が解決しようとする課題】
【０００４】
複数のカメラにより得られる映像を切り換えて１つモニタに表示すると、どのカメラの映像であるかが判り難いことがある。これを防ぐ手段としては、撮影しているカメラを特定するための文字や記号をモニタ上に表示することが考えられるが、運転者が運転中に操作する場合に瞬時に確認することが難しい場合がある。
【０００５】
本発明はこの点を考慮してなされたものでり、車両の外部を撮影するカメラにより得られる映像を適切に表示し、表示された映像がどのカメラによって得られたものかを運転者が容易に視認できる運転支援装置を提供することを目的とする。
【課題を解決するための手段】
【０００６】
上記目的を達成するため請求項１に記載の発明は、車両の外部を撮影するカメラ（４）と、該カメラ（４）により撮影された映像を表示する表示手段（２）とを備える、車両の運転支援装置において、前記カメラ（４）により撮影された映像の左右を反転させる映像反転手段（１１）と、前記車両に設けられ、所定方向を視認可能に設けられたミラー手段（６）を模したミラー枠画像（ＰＭ）を生成するミラー枠画像生成手段（１２）と、前記カメラ（４）により撮影された前記所定方向の映像を前記表示手段（２）に表示する際に、前記映像反転手段により反転された映像が前記ミラー枠画像（ＰＭ）の内部に表示されるように前記反転された映像と前記ミラー枠画像（ＰＭ）とを合成する合成手段とを備え、該合成された映像を前記表示手段（２）に表示することを特徴とする。
【０００７】
請求項２に記載の発明は、請求項１に記載の車両の運転支援装置において、前記ミラー枠画像（ＰＭ）の内部に表示される映像の輝度を、前記ミラー手段（６）に表示される像の輝度とほぼ同一となるように調整する輝度調整手段をさらに備えることを特徴とする。
【０００８】
請求項３に記載の発明は、請求項１または２に記載の車両の運転支援装置において、前記ミラー手段（６）の背景映像を撮影する背景カメラ（３）をさらに備え、前記合成された映像を前記背景映像とともに前記表示手段（２）に表示することを特徴とする。
【０００９】
請求項４に記載の発明は、請求項１から３の何れか１項に記載の車両の運転支援装置において、前記ミラー手段（６）により視認可能な範囲を示す視認可能範囲枠の画像（ＰＳ）を生成する視認可能範囲枠画像生成手段をさらに備え、前記合成手段は前記反転された映像と、前記ミラー枠画像（ＰＭ）と、前記視認可能範囲枠画像（ＰＳ）とを合成することを特徴とする。
【発明の効果】
【００１０】
請求項１に記載の発明によれば、所定方向を視認可能に設けられたミラー手段を模したミラー枠画像が生成され、カメラにより撮影された所定方向の映像を表示手段に表示する際に、撮影された映像の左右を反転させた映像がミラー枠画像の内部に表示されるように制御される。したがって、運転者はミラー手段（例えば左ドアミラー）に表示される像と同じ方向の映像であることを容易に認識することができる。
【００１１】
請求項２に記載の発明によれば、ミラー枠画像の内部に表示される映像の輝度が、ミラー手段に表示される像の輝度とほぼ同一となるように調整される。通常はミラー手段に表示される像はカメラによって得られる映像より輝度が低いので、表示する映像の輝度を同程度に調整することにより、運転者はミラー手段の像に対応する映像であることをより容易に認識することができる。
【００１２】
請求項３に記載の発明によれば、ミラー手段の背景映像が撮影され、ミラー枠画像と合成された映像が背景映像とともに表示されるので、運転者は車両前方の状態と後方の状態とを表示画面上で同時に確認することができる。
【００１３】
請求項４に記載の発明によれば、ミラー手段により視認可能な範囲を示す視認可能範囲枠の画像が、ミラー枠画像及び反転された映像とともに表示手段に表示される。したがって、運転者は、ミラー手段により視認可能な範囲を表示画面上で確認することができる。
【発明を実施するための最良の形態】
【００１４】
以下本発明の実施の形態を図面を参照して説明する。
図１は本発明の一実施形態にかかる車両用運転支援装置の構成を示すブロック図である。この運転支援装置は、車両の左側前方及び後方を撮影する第１及び第２カメラ３，４と、表示する映像を切り換えるための切換スイッチ５と、第１及び第２カメラ３，４により得られる映像を表示する表示部２と、第１及び第２カメラ３，４の出力信号ＳＶＦ、ＳＶＲ、及び切換スイッチ５の切換信号ＳＳＷが入力され、表示部２の表示制御を行う制御部１とを備えている。制御部１は表示信号ＳＤを表示部２に供給する。表示部２は車両の運転者が見える位置に配置され、例えば液晶表示装置により構成される。表示部２は表示信号ＳＤに対応する映像を表示する。
【００１５】
第１及び第２カメラ３，４は、図２に示すように車両の左側のドアミラー６に取り付けられており、第１カメラ３は車両左側前方を撮影し、第２カメラ４は車両左側後方を撮影する。以下第１カメラ３の出力信号ＳＶＦを左前方映像信号といい、第２カメラ４の出力信号ＳＶＲを左後方映像信号という。
【００１６】
制御部１は、図３に示すように、左右反転部１１と、枠画像生成部１２と、合成部１３と、切換部１４とを備えている。左右反転部１１は、左後方映像信号ＳＶＲの左右を反転させる処理を行い反転映像信号ＳＶＲＲを出力する。枠画像生成部１２は、ドアミラー６を模したミラー枠画像ＰＭの信号（以下「ミラー枠画像信号」という）ＳＭＦと、ミラー枠画像ＰＭの内部において、ドアミラー６により視認可能な範囲を示す視認可能範囲枠画像ＰＳの信号（以下「視認可能枠画像信号」という）ＳＳＦとからなる枠画像信号ＳＦＲＭを生成する。なお左右反転部１１は、反転映像信号ＳＶＲＲの輝度を、ドアミラー６に実際に表示される像の輝度とほぼ同一となるように調整することが望ましい。通常、ドアミラーの反射率は５０％程度であるので、反転映像信号ＳＶＲＲの輝度も５０％程度低下させる。そのように調整することにより、ドアミラー６の像に対応する映像であることを運転者がより容易に認識できる。
【００１７】
合成部１３は、左前方映像信号ＳＶＦと、反転映像信号ＳＶＲＲと、枠画像信号ＳＦＲＭとを合成し、合成映像信号ＳＶＣを生成する。具体的には、枠画像信号ＳＦＲＭに含まれるミラー枠画像ＰＭの内部に、反転映像信号ＳＶＲＲが表示され、かつ左前方映像信号ＳＶＦがミラー枠画像ＰＭの背景映像となるように、合成映像信号ＳＶＣが生成される（図４（ｃ）参照）。
【００１８】
切換部１４は、切換信号ＳＳＷに応じて、左前方映像信号ＳＶＦ及び合成映像信号ＳＶＣの一方を選択し、表示信号ＳＤとして出力する。
【００１９】
図４は、本実施形態において表示部２の表示例を説明するための図であり、図４（ａ）は、左前方映像信号ＳＶＦを示し、同図（ｂ）は反転映像信号ＳＶＲＲを示し、同図（ｃ）は合成映像信号ＳＶＣが表示部２に表示された状態を示す。
【００２０】
図４（ａ）の右端部には自車両の左前部側面ボディ及び左前輪が示されており、図４（ｂ）の右端部には自車両の左後部側面ボディ及び左後輪が示されている。
【００２１】
表示部２には、ミラー枠画像ＰＭの内部に反転映像信号ＳＶＲＲが表示されるので、運転者は左後方映像であることを瞬時に認識することができる。また左前方映像信号ＳＶＦが背景映像として表示されるので、運転者は車両前方の状態と後方の状態とを表示部２の画面上で同時に確認することができる。
【００２２】
さらに視認可能範囲枠画像ＰＳがミラー枠画像ＰＭの内部に表示されるので、運転者は、ドアミラー６により視認可能な範囲を表示部２の画面上で確認することができる。
【００２３】
本実施形態では、表示部２が表示手段に相当し、ドアミラー６がミラー手段に相当する。また制御部１が、映像反転手段、ミラー枠画像生成手段、合成手段、輝度調整手段、及び視認可能範囲枠画像生成手段を構成する。具体的には、左右反転部１１が映像反転手段及び輝度調整手段に相当し、枠画像生成部１２がミラー枠画像生成手段及び視認可能範囲枠画像生成手段に相当し、合成部１３が合成手段に相当する。
【００２４】
なお本発明は上述した実施形態に限るものではなく、種々の変形が可能である。例えば、上述した実施形態では、左前方映像信号ＳＶＦを背景としてミラー枠画像ＰＭ（＋視認可能範囲枠ＰＳ）及び反転映像信号ＳＶＲＲを表示するようにしたが、ミラー枠画像ＰＭ及び反転映像信号ＳＶＲＲのみを表示部２に表示するようにしてもよい。また、図４（ｃ）ではミラー枠画像ＰＭが、表示部２の画面においてかなり大きく表示されているが、ミラー枠画像ＰＭをもう少し小さくして、背景画像の割合を大きくしてもよい。
【００２５】
また上述した実施形態では、左ドアミラーにカメラ３，４を配置したが、右ドアミラーあるいはバックミラーに前方及び後方を撮影するカメラを配置し、同様の表示を行うようにしてもよい。その場合には、ミラー枠画像は図４に示すものではなく、右ドアミラーあるいはバックミラーを模したものとする。また、カメラ３、４を別個のカメラとして構成したが、一つの広角カメラを用い、夫々の方向の画像を切り出し、補正して夫々の画像としても良い。
【００２６】
また左ドアミラー、右ドアミラー、及びバックミラーのすべてに同様にカメラを配置し、スイッチの切換によって各カメラにより得られる映像を表示するようにしてもよい。また表示部２は、ヘッドアップディスプレイを用いても良い。
【図面の簡単な説明】
【００２７】
【図１】本発明の一実施形態にかかる車両用運転支援装置の構成を示すブロック図である。
【図２】カメラの配置を説明するための平面図である。
【図３】図１に示す制御部の構成を示すブロック図である。
【図４】表示部における表示例を説明するための図である。
【符号の説明】
【００２８】
１  制御部（映像反転手段、ミラー枠画像生成手段、合成手段、輝度調整手段、視認可能範囲枠画像生成手段）
２  表示部（表示手段）
３  第１カメラ
４  第２カメラ
５  切換スイッチ
１１  左右反転部（映像反転手段、輝度調整手段）
１２  枠画像生成部（ミラー枠画像生成手段、視認可能範囲枠画像生成手段）
１３  合成部（合成手段）
【図１】
2010137697.tif 000003
【図２】
2010137697.tif 000004
【図３】
2010137697.tif 000005
【図４】
2010137697.tif 000006